(57)【要約】      （修正有）【課題】ウィルス等が手指に付着するのを防止することのできる指保護サックを提供する。【解決手段】指先に装着して指先を保護する指保護サック１０は、指先に装着される中空指サック形状の第一サック１１と、第一サック１１よりも一回り大きく、第一サック１１に着脱自在に被せて設置される中空指サック形状の第二サック２１と、を備える。また、第一サック１１及び第二サック２１は、指を模した色及び形状であり、第二サック２１を第一サック１１に被せたカバー状態において、第一サック１１と第二サック２１との接触部分が点接触又は線接触となるように構成されている。また、第一サック１１及び第二サック２１は、導電性の樹脂材料から形成されている。【選択図】図１
0003228168.tif 000002
【実用新案登録請求の範囲】
【請求項１】
指先に装着して前記指先を保護する指保護サックにおいて、
指先に装着される中空指サック形状の第一サックと、
前記第一サックよりも一回り大きく、前記第一サックに着脱自在に被せて設置される中空指サック形状の第二サックと、
を備えることを特徴とする指保護サック。
【請求項２】
前記第一サック及び前記第二サックは、指を模した色及び形状であり、前記第二サックを前記第一サックに被せたカバー状態において、前記第一サックと前記第二サックとの接触部分が点接触又は線接触となるように構成されていることを特徴とする請求項１記載の指保護サック。
【請求項３】
前記第一サック及び前記第二サックは、導電性の樹脂材料から形成されていることを特徴とする請求項１又は２記載の指保護サック。
【考案の詳細な説明】
【技術分野】
【０００１】
本考案は、指の先端に被せて使用する指サックに関する。
【背景技術】
【０００２】
従来から、手指の先を保護したり、滑り止めとして機能させたりするための指サックが多数提供されており、例えば、下記特許文献１，２に開示されている。
【先行技術文献】
【特許文献】
【０００３】
【特許文献１】特開２０１５−１３０９９３号公報
【特許文献２】特開平８−２４２７１号公報
【考案の概要】
【考案が解決しようとする課題】
【０００４】
従来の指サックによれば、手指の先端を覆って装着されるため、タッチパネルやエレベーターのボタン等を指の先端で操作する際に、指の先端が直接パネル等に接触することがないため、ボタン等の表面に付着しているウィルスや菌が指先に付着するのを防ぐことができる。
【０００５】
しかし、指サックを付けたり外したりする際に、使用者は、反対側の手指で指サックを触らざるを得ないため、ボタン等を操作した際に、指サックの外表面にウィルス等が付着していると、反対側の手指にウィルス等が付着してしまい、使用者がウィルス等に感染してしまうおそれがある。
【０００６】
本考案は、上記課題を解決するためになされたものであり、ウィルス等が手指に付着するのを防止することのできる指保護サックを提供することを目的とする。
【課題を解決するための手段】
【０００７】
上記課題を解決するために、本考案に係る指保護サックは、指先に装着して前記指先を保護する指保護サックにおいて、指先に装着される中空指サック形状の第一サックと、前記第一サックよりも一回り大きく、前記第一サックに着脱自在に被せて設置される中空指サック形状の第二サックと、を備えることを特徴とする。
【考案の効果】
【０００８】
本考案に係る指保護サックによれば、指先をボタン等に接触させる時にだけ第二サックを外すようにすることで、ウィルス等が手指に付着するのを防止することができる。
【図面の簡単な説明】
【０００９】
【図１】図１は、本考案の実施形態に係る指保護サックの斜視図である。
【図２】図２は、本考案の実施形態に係る指保護サックの断面図である。
【図３】図３は、本考案の実施形態に係る指保護サックの使用態様を示す図である。
【図４】図４は、本考案の実施形態に係る指保護サックの使用態様を示す図である。
【考案を実施するための形態】
【００１０】
以下、図面を参照しながら、本考案の実施形態について詳細に説明する。図１は、指保護サック１０の分離状態の斜視図であり、図２は、指保護サック１０のカバー状態の断面図である。本実施形態では、人差し指に装着して使用する指保護サック１０について説明する。指保護サック１０は、第一サック１１と第二サック２１とを備えている。
【００１１】
サック１１，２１は、先端が閉じられた袋状の略円筒形状（指サック形状）であり、先端を保護するために指先に被せられる中空の鞘（キャップ）である。本実施形態では、サック１１，２１の外観は、人差し指の指先を模した色及び形状であり、サック１１，２２１は、爪を模した爪部１２，２２を備えている。
【００１２】
第一サック１１は、指先に直接被せられ、第二サック２１は、第一サック１１よりも一回り大きく、第一サック１１の上に被せられて使用される。すなわち、第一サック１１は、第二サック２１内に収納可能であり、第二サック２１の内部空間は、第一サック１１の外形よりも僅かに大きく構成されている。
【００１３】
第一サック１１は、人差し指の先端から第一関節までの長さであり、第二サック２１は、人差し指の先端から第一関節と第二関節の中間位置までの長さである。このように、第一サック１１は、第二サック２１よりも短く形成されており、第二サック２１を第一サック１１に被せた状態では、第一サック１１の全体が第二サック２１内に収容され、第一サック１１は外部からは見えない。
【００１４】
本実施形態では、第二サック２１は第一サック１１に対して着脱自在であり、指保護サック１０は、第一サック１１と第二サック２１とを分離した分離状態と、第一サック１１に第二サック２１を被せたカバー状態とを取り得る。
【００１５】
サック１１，２１は、人間の指先を模した形状であるため、正円柱の側面形状ではなく、表面が若干凸凹し、指先に向かって一部先細る、断面が略楕円の形状である。よって、図２に示すように、第一サック１１に第二サック２１を重ねたカバー状態において、第一サック１１の外表面と第二サック２１の内部面との接触部分は、面接触ではなく、線接触又は点接触となり、接触面積が小さいため、第二サック２１は、第一サック１１に対してスムーズに着脱することができる。
【００１６】
なお、カバー状態において、第一サック１１の外表面と第二サック２１の内部面との接触面積が小さいと、接触部分における弾性力や摩擦力が低下し、第二サック２１が容易に抜けてしまう。よって、本実施形態では、カバー状態において、第二サック２１が容易に抜けない程度に第一サック１１と第二サック２１とが接触するように構成している。
【００１７】
サック１１，２１は、樹脂材料から射出成形により一体成形される。樹脂材料としては、例えば、シリコーン樹脂を用いることができるが、プラスチック等、他の合成樹脂を用いることができる。
【００１８】
但し、サック１１，２１の樹脂材料の剛性が高すぎると、サック１１，２１の伸縮性が低くなってしまって、第一サック１１から第二サック２１が容易に抜けてしまう。反対に樹脂材料の剛性が低く、伸縮性が高いと、第一サック１１と第二サック２１とが広い範囲で面接触してしまい、スムーズな着脱が困難となる。
【００１９】
よって、本実施形態では、第一サック１１と第二サック２１とをスムーズに着脱できると共に、カバー状態にある第二サック２１が簡単に抜けることのないように、適度な剛性と伸縮性を有する樹脂材料を選択する必要がある。
【００２０】
また、本実施形態では、サック１１，２１の樹脂材料として、導電性の樹脂材料を用いており、例えば、カーボンブラックを混入した導電性シリコーン樹脂を用いることができる。このように、導電性の樹脂材料を使用することで、指保護サック１０を着用したまま、静電容量式タッチパネル等を操作することもできる。
【００２１】
以上、指保護サック１０の構成について説明したが、続いて、指保護サック１０の使用態様について、図３及び図４等を参照しながら説明する。図３は、カバー状態の指保護サック１０を人差し指の指先に装着した状態を示している。図４は、分離状態の指保護サック１０の第一サック１１を人差し指の指先に装着した状態を示しており、人差し指でエレベーターのボタンを押している状態を示している。
【００２２】
基本的に指保護サック１０は、第一サック１１と第二サック２１とを重ねたカバー状態で保管しておく。指保護サック１０を指先に装着する際には、カバー状態のまま、内側の第一サック１１の内部空間に人差し指を挿入して装着する（図３参照）。
【００２３】
エレベーターのボタン等を指で押したい場合には、第一サック１１を指先に装着したまま、第二サック２１のみを外して、分離状態とする。第二サック２１のみを外す際には、装着者が反対側の指で、第二サック２１の外表面を摘まんで引っ張ると、第一サック１１は、摩擦により指先に残ったまま、第二サック２１のみを第一サック１１に対して相対的に移動させて外すことができる。
【００２４】
このように、分離状態の第一サック１１のみを装着した状態でボタン等を押すと（図４参照）、ボタン等に接触するのは、第一サック１１の手のひら側の先端だけである。よって、ボタン等にウィルス等が付着していた場合でもあっても、装着者の指先にウィルス等が付着することはなく、第一サック１１の手のひら側の先端だけにウィルス等が付着する可能性があるだけである。
【００２５】
ボタン等を押した後、直ぐに、第二サック２１を第一サック１１に被せ、基本のカバー状態に戻す。そうすると、汚染した可能性のある第一サック１１の手のひら側の先端表面は、第二サック２１によりカバーされ、外部に露出することはない。よって、第一サック１１の先端にウィルス等が付着していたとしても、この付着したウィルス等が接触により移るのは、第二サック２１の内部空間の先端部分の内面だけである。
【００２６】
また、指保護サック１０全体を指先から外す際には、装着者は、指保護サック１０が装着されている手と反対側の手でカバー状態の第二サック２１を強く摘まんで、内側の第一サック１１と一体に引っ張ることで、指保護サック１０をカバー状態のまま外すことが出来る。このとき、外側に位置する第二サック２１の表面には、ウィルス等が付着していないため、外す際の手がウィルス等で汚染されるのも確実に防止することができる。
【００２７】
以上、本実施形態について説明したが、指保護サック１０によれば、2つのサック１１，２１から二重に構成し、ボタン等に接触する際には、常に外側の第二サック２１を外して第一サック１１で接触し、接触時以外は、常に外側の第二サック２１を被せたカバー状態とすることで、ボタン等を触ることにより手指がウィルス等に汚染するのを防止することができる。
【００２８】
また、本実施形態によれば、指保護サック１０を構成する第一サック１１及び第二サック２１の双方を人間の指先を模した形状としたため、第一サック１１のみを装着した分離状態、第一サック１１及び第二サック２１を重ねたカバー状態の何れの装着状態であっても、他人からは指保護サック１０を装着していると気付かれにくく、自然な状態で使用することができる。
【００２９】
以上、本考案の実施形態について詳細に説明したが、本考案は上記実施形態に限定されるものではなく、本考案の主旨を逸脱しない範囲内で種々の変形が可能である。例えば、指保護サックを構成する部材の形状やサイズ、素材等は適宜変更可能である。
【００３０】
また、上記実施形態では、第一サック及び第二サックを、指先を模した形状としたが、第一サック及び第二サックの双方を単純な袋状の円筒形状としても良いし、内側の第一サックを単純な袋状の円筒形状とし、外側の第二サックのみを指先を模した形状としても良い。
【００３１】
また、本実施形態では、右手の人差し指に装着する指保護サックについて説明したが、右手、左手を問わず、全ての指に対して、指保護サックを提供することができる。
【符号の説明】
【００３２】
１０  指保護サック
１１  第一サック
１２  爪部
２１  第二サック
２２  爪部
【図１】
0003228168.tif 000003
【図２】
0003228168.tif 000004
【図３】
0003228168.tif 000005
【図４】
0003228168.tif 000006